【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】
印刷用画像データの処理プロセス中で得られる検版対象データと、前記検版対象データの比較対象となる画像状態を表現した基準データとを相互に比較して検版を行う検版装置であって、
前記検版対象データあるいは前記基準データを複数の単位領域に仮想的に分割し、前記複数の単位領域を複数の領域群のいずれかに分類するとともにそれぞれの単位領域について所定の領域属性を定める判定手段と、
検版処理を行う際に用いられる所定の検版パラメータを、前記領域属性に応じて前記領域群ごとに設定可能な検版パラメータ設定手段と、
を備え、
前記判定手段は、それぞれの単位領域が有する少なくとも１つの画像特徴量を取得して、前記複数の領域群のそれぞれについてあらかじめ定められている、当該領域群に属する単位領域が取りうる少なくとも１つの画像特徴量の条件に応じて前記複数の単位領域を分類し、
前記検版パラメータ設定手段によって設定された検版パラメータを用いることにより前記領域群ごとに選択的に検版を行えることを特徴とする検版装置。
【請求項２】
請求項１に記載の検版装置であって、
前記検版パラメータをあらかじめ格納する検版パラメータデータベース、
をさらに備えることを特徴とする検版装置。
【請求項３】
印刷用画像データを生成し、前記印刷用画像データに基づく製版あるいは出力の少なくとも１つを行う印刷システムであって、
前記印刷用画像データの検版を行う検版装置、
を備え、
前記検版装置が、前記印刷用画像データの処理プロセス中で得られる検版対象データと、前記検版対象データの比較対象となる画像状態を表現した基準データとを相互に比較して検版を行う検版装置であって、
前記検版対象データあるいは前記基準データを複数の単位領域に仮想的に分割し、前記複数の単位領域を複数の領域群のいずれかに分類するとともにそれぞれの単位領域について所定の領域属性を定める判定手段と、
検版処理を行う際に用いられる所定の検版パラメータを、前記領域属性に応じて前記領域群ごとに設定可能な検版パラメータ設定手段と、
を備え、
前記判定手段は、それぞれの単位領域が有する少なくとも１つの画像特徴量を取得して、前記複数の領域群のそれぞれについてあらかじめ定められている、当該領域群に属する単位領域が取りうる少なくとも１つの画像特徴量の条件に応じて前記複数の単位領域を分類し、
前記検版パラメータ設定手段によって設定された検版パラメータを用いることにより前記領域群ごとに選択的に検版を行えることを特徴とする印刷システム。
【請求項４】
請求項３に記載の検版システムであって、
前記検版装置が、
前記検版パラメータをあらかじめ格納する検版パラメータデータベース、
をさらに備えることを特徴とする印刷システム。
【請求項５】
印刷用画像データの処理プロセス中で得られる検版対象データと、前記検版対象データの比較対象となる画像状態を表現した基準データとを相互に比較して検版を行う検版方法であって、
前記検版対象データあるいは前記基準データを複数の単位領域に仮想的に分割し、前記複数の単位領域を複数の領域群のいずれかに分類するとともにそれぞれの単位領域について所定の領域属性を定める判定工程と、
検版処理を行う際に用いられる所定の検版パラメータを、前記領域属性に応じて前記領域群ごとに設定可能な検版パラメータ設定工程と、
を備え、
前記判定工程においては、それぞれの単位領域が有する少なくとも１つの画像特徴量を取得して、前記複数の領域群のそれぞれについてあらかじめ定められている、当該領域群に属する単位領域が取りうる少なくとも１つの画像特徴量の条件に応じて前記複数の単位領域を分類し、
前記検版パラメータ設定工程において設定された検版パラメータを用いることにより前記領域群ごとに選択的に検版を行えることを特徴とする検版方法。
【請求項６】
請求項５に記載の検版方法であって、
前記検版パラメータがあらかじめ所定の検版パラメータデータベースに格納されていることを特徴とする検版方法。
【請求項７】
コンピュータで実行されることにより、前記コンピュータを請求項１または請求項２に記載の検版装置として機能させることを特徴とするプログラム。
【手続補正２】
【補正対象書類名】明細書
【補正対象項目名】０００９
【補正方法】変更
【補正の内容】
【０００９】
【課題を解決するための手段】
上記課題を解決するため、請求項１の発明は、印刷用画像データの処理プロセス中で得られる検版対象データと、前記検版対象データの比較対象となる画像状態を表現した基準データとを相互に比較して検版を行う検版装置であって、前記検版対象データあるいは前記基準データを複数の単位領域に仮想的に分割し、前記複数の単位領域を複数の領域群のいずれかに分類するとともにそれぞれの単位領域について所定の領域属性を定める判定手段と、検版処理を行う際に用いられる所定の検版パラメータを、前記領域属性に応じて前記領域群ごとに設定可能な検版パラメータ設定手段と、を備え、前記判定手段は、それぞれの単位領域が有する少なくとも１つの画像特徴量を取得して、前記複数の領域群のそれぞれについてあらかじめ定められている、当該領域群に属する単位領域が取りうる少なくとも１つの画像特徴量の条件に応じて前記複数の単位領域を分類し、前記検版パラメータ設定手段によって設定された検版パラメータを用いることにより前記領域群ごとに選択的に検版を行えることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
また、請求項２の発明は、請求項１に記載の検版装置であって、前記検版パラメータをあらかじめ格納する検版パラメータデータベース、をさらに備えることを特徴とする。
【手続補正８】
【補正対象書類名】明細書
【補正対象項目名】００１５
【補正方法】変更
【補正の内容】
【００１５】
また、請求項３の発明は、印刷用画像データを生成し、前記印刷用画像データに基づく製版あるいは出力の少なくとも１つを行う印刷システムであって、前記印刷用画像データの検版を行う検版装置、を備え、前記検版装置が、前記印刷用画像データの処理プロセス中で得られる検版対象データと、前記検版対象データの比較対象となる画像状態を表現した基準データとを相互に比較して検版を行う検版装置であって、前記検版対象データあるいは前記基準データを複数の単位領域に仮想的に分割し、前記複数の単位領域を複数の領域群のいずれかに分類するとともにそれぞれの単位領域について所定の領域属性を定める判定手段と、検版処理を行う際に用いられる所定の検版パラメータを、前記領域属性に応じて前記領域群ごとに設定可能な検版パラメータ設定手段と、を備え、前記判定手段は、それぞれの単位領域が有する少なくとも１つの画像特徴量を取得して、前記複数の領域群のそれぞれについてあらかじめ定められている、当該領域群に属する単位領域が取りうる少なくとも１つの画像特徴量の条件に応じて前記複数の単位領域を分類し、前記検版パラメータ設定手段によって設定された検版パラメータを用いることにより前記領域群ごとに選択的に検版を行えることを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
また、請求項４の発明は、請求項３に記載の印刷システムであって、前記検版装置が、前記検版パラメータをあらかじめ格納する検版パラメータデータベース、をさらに備えることを特徴とする。
【手続補正１４】
【補正対象書類名】明細書
【補正対象項目名】００２１
【補正方法】変更
【補正の内容】
【００２１】
また、請求項５の発明は、印刷用画像データの処理プロセス中で得られる検版対象データと、前記検版対象データの比較対象となる画像状態を表現した基準データとを相互に比較して検版を行う検版方法であって、前記検版対象データあるいは前記基準データを複数の単位領域に仮想的に分割し、前記複数の単位領域を複数の領域群のいずれかに分類するとともにそれぞれの単位領域について所定の領域属性を定める判定工程と、検版処理を行う際に用いられる所定の検版パラメータを、前記領域属性に応じて前記領域群ごとに設定可能な検版パラメータ設定工程と、を備え、前記判定工程においては、それぞれの単位領域が有する少なくとも１つの画像特徴量を取得して、前記複数の領域群のそれぞれについてあらかじめ定められている、当該領域群に属する単位領域が取りうる少なくとも１つの画像特徴量の条件に応じて前記複数の単位領域を分類し、前記検版パラメータ設定工程において設定された検版パラメータを用いることにより前記領域群ごとに選択的に検版を行えることを特徴とする。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】変更
【補正の内容】
【００２６】
また、請求項６の発明は、請求項５に記載の検版方法であって、前記検版パラメータがあらかじめ所定の検版パラメータデータベースに格納されていることを特徴とする。
【手続補正２０】
【補正対象書類名】明細書
【補正対象項目名】００２７
【補正方法】変更
【補正の内容】
【００２７】
また、請求項７の発明は、コンピュータで実行されることにより、前記コンピュータを請求項１または請求項２に記載の検版装置として機能させることを特徴とする。
【手続補正２１】
【補正対象書類名】明細書
【補正対象項目名】００６４
【補正方法】変更
【補正の内容】
【００６４】
比較パラメータＰ２として、それぞれの領域属性ごとに複数のｍｕ、ｎｕの設定を変えつつ式４の演算を繰り返すことにより、その結果として、複数の比較結果データＤＣを得ることができる。
【手続補正２２】
【補正対象書類名】明細書
【補正対象項目名】００７１
【補正方法】変更
【補正の内容】
【００７１】
【発明の効果】
以上、説明したように、請求項１ないし請求項７の発明によれば、特定の領域群のみについて検版を行うことができるので、検版処理の効率化を図ることができる。
【手続補正２３】
【補正対象書類名】明細書
【補正対象項目名】００７２
【補正方法】変更
【補正の内容】
【００７２】
また、画像の特徴が類似する単位領域が同じ領域群に属することになり、これらの単位領域に対し一度に検版を行うことができる。
【手続補正２４】
【補正対象書類名】明細書
【補正対象項目名】００７３
【補正方法】変更
【補正の内容】
【００７３】
具体的には、それぞれの単位領域が有する画像特徴量によって、該単位領域が文字領域、絵柄領域、あるいはチント／グラデーション領域など、特定の画像特徴を有するいずれかの領域に分類されるので、これら異なる画像特徴を有する領域ごとに、あるいは特定の画像特徴を有する領域のみについて、検版を行うことができる。
【手続補正２５】
【補正対象書類名】明細書
【補正対象項目名】００７４
【補正方法】変更
【補正の内容】
【００７４】
また、それぞれの領域群に適した検版パラメータを用いて、特定の領域群のみについて検版を行うことができるので、検版処理の実効性をより高めることができる。
【手続補正２６】
【補正対象書類名】明細書
【補正対象項目名】００７５
【補正方法】変更
【補正の内容】
【００７５】
さらには、異なる画像特徴を有するそれぞれの領域ごとに、該領域に適した検版パラメータを用いて検版を行うことができる。
【手続補正２７】
【補正対象書類名】明細書
【補正対象項目名】００７６
【補正方法】変更
【補正の内容】
【００７６】
また、請求項２、請求項４、および、請求項６の発明によれば、異なる画像特徴を有するそれぞれの領域に適した検版パラメータを容易に選択、設定できるので、検版処理が効率化される。
【手続補正２８】
【補正対象書類名】図面
【補正対象項目名】図２
【補正方法】変更
【補正の内容】
【図２】
2004258470.tif 000001